(57)【要約】【課題】導光設備が結合される浴室ユニットであって、天井におけるカビの発生を防ぐことができる浴室ユニットを提供する。【解決手段】屋外から光を導入する光ダクトが結合される浴室ユニット１において、浴室２と、浴室２の直上域に配置され、光ダクトにより導入された光を浴室２の天井１４に対して供給する光拡散室３とを設ける。天井１４は光を透過させる材料により形成する。また、光拡散室３においては、水平に配置されたパンチングメタル７を設け、パンチングメタル７上における光ダクトとの結合部の直下域には、光ダクトから導入された光を側方に向けて反射する光反射体９を設け、パンチングメタル７の下方には、半透明板１０を配置する。これにより、光ダクトから導入された外光を光拡散室３において水平方向に拡散し、浴室２の天井１４のほぼ全面に供給する。【選択図】図２
2008082079.tif 000002
【特許請求の範囲】
【請求項１】
屋外から光を導入する導光設備が結合される浴室ユニットであって、
天井が光を透過させる材料からなる浴室と、
前記浴室の直上域に配置され、前記導光設備により導入された光を水平方向に拡散させて前記浴室の前記天井に対して供給する光拡散室と、
を備えたことを特徴とする浴室ユニット。
【請求項２】
前記光拡散室は、前記天井の略全面に対して光を供給することを特徴とする請求項１記載の浴室ユニット。
【請求項３】
前記導光設備は前記光拡散室の上面に結合されており、
前記光拡散室は、
前記天井と平行に配置された有孔板と、
前記有孔板上における前記導光設備との結合部の直下域に設けられ、前記導光設備から導入された光を側方に向けて反射する光反射体と、
を有することを特徴とする請求項１または２に記載の浴室ユニット。
【請求項４】
前記有孔板は、前記光拡散室内の周辺領域には配置されていないことを特徴とする請求項３記載の浴室ユニット。
【請求項５】
前記光反射体の形状は四角錐体であり、その頂点が前記導光設備側を向くように配置されていることを特徴とする請求項３または４に記載の浴室ユニット。
【請求項６】
前記光拡散室は、前記有孔板の下方に配置され、光を散乱しつつ透過させる半透明板をさらに有することを特徴とする請求項３〜５のいずれか１つに記載の浴室ユニット。
【請求項７】
前記天井に形成された点検口を塞ぐ点検口蓋が、光を透過させる材料により形成されており、
前記光拡散室における前記点検口の直上域に相当する部分は、前記光拡散室における他の部分に対して着脱可能であることを特徴とする請求項１〜６のいずれか１つに記載の浴室ユニット。
【請求項８】
前記光拡散室は、前記天井に形成された点検口の直上域を除く領域のみに設けられていることを特徴とする請求項１〜６のいずれか１つに記載の浴室ユニット。
【請求項９】
前記天井の下面には、光触媒がコーティングされていることを特徴とする請求項１〜８のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、浴室ユニット内は湿度が高く、カビが発生しやすいという問題がある。特に、浴室ユニットの天井は、手が届かず清掃が困難であるため、カビが発生しやすく、また、発生したカビを除去することが困難である。
【０００５】
【特許文献１】実開昭６０−０３３２４０号公報
【発明の開示】
【発明が解決しようとする課題】
【０００６】
本発明の目的は、導光設備が結合される浴室ユニットであって、天井におけるカビの発生を防ぐことができる浴室ユニットを提供することである。
【課題を解決するための手段】
【０００７】
本発明の一態様によれば、屋外から光を導入する導光設備が結合される浴室ユニットであって、天井が光を透過させる材料からなる浴室と、前記浴室の直上域に配置され、前記導光設備により導入された光を水平方向に拡散させて前記浴室の前記天井に対して供給する光拡散室と、を備えたことを特徴とする浴室ユニットが提供される。
【発明の効果】
【０００８】
本発明によれば、導光設備が結合され、天井におけるカビの発生を防ぐことができる浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、この浴室ユニットを例示する断面図であり、  
図３は、この浴室ユニットを例示する斜視図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
また、浴室ユニット１においては、浴室２及び光拡散室３が設けられている。浴室２は、入浴者が入浴を行うスペースであり、浴室ユニット１の主体部をなす。後述するように、浴室２には、浴槽、洗い場及びシャワーなどが設けられている。また、浴室２の天井１４は、光を透過させる材料により形成されている。光拡散室３は、浴室２の直上域の例えばほぼ全領域に配置されており、例えばその下面が浴室２の天井に接している。光拡散室３は、その上面に光ダクト１０２が結合されており、光ダクト１０２により導入された光を浴室２の天井１４に対して供給する。
【００１２】
図２に示すように、光拡散室３においては、光拡散室３の上面をなす天板６が設けられている。天板６の下面は光反射面とされている。光反射面とは、例えば、鏡面又は白色面などであり、例えば、アルミニウム若しくはステンレスなどの金属面、又はこれらの金属面の表面に酸化アルミニウム若しくは樹脂などの被覆層が積層された面とすることができる。天板６には開口部６ａが形成されており、この開口部６ａに光ダクト１０２が結合されている。
【００１３】
天板６の下方には、有孔板７が設けられている。有孔板７は、多数の孔７ａが形成された板状体であり、浴室２の天井と平行に、例えば水平に配置されている。有孔板７としては、例えば、金属板に多数の孔７ａを形成したパンチングメタルを用いることができる。また、樹脂板に多数の孔７ａを形成したものを用いてもよい。この時、例えば白色の樹脂を用いたり、光反射性の粒子（酸化チタン、酸化シリコンなど）を樹脂に分散させることにより光反射率を高めることができる。以下、有孔板７としてパンチングメタルを用いた場合を例に挙げて説明する。  
パンチングメタル７は、光拡散室３内の周辺領域には配置されておらず、光拡散室３の側壁との間には隙間８が形成されている。隙間８の大きさは、例えば１０センチメートルである。
【００１４】
また、パンチングメタル７上における天板６の開口部６ａの直下域には、光反射体９が設けられている。光反射体９は、光を反射する傾斜面９ａを持つ部材であり、例えば、その形状は四角錐体であり、その頂点が光ダクト１０２側に向くように配置されている。光反射体９は、光ダクト１０２から導入された光を、傾斜面９ａによって側方に向けて反射する。
【００１５】
更に、パンチングメタル７の下方には、光を散乱しつつ透過させる半透明板１０が設けられている。半透明板１０は、例えば乳白色の樹脂材料により形成されている。この半透明板１０は、光拡散室３の下面を形成している。そして、天板６、パンチングメタル７及び半透明板１０は、複数本の支持部材１１によって、相互に連結されている。支持部材１１は、垂直方向に延びる棒状の部材である。更にまた、光拡散室３の側壁５の内面は、例えば光反射面とされている。
【００１６】
一方、図３に示すように、浴室２においては、床の一方の側に浴槽１２が設けられており、他方の側が洗い場１３となっている。また、上述の如く、浴室２の天井１４は光を透過させる材料により形成されており、例えば、乳白色の樹脂材料により形成されている。天井１４は、浴室２の仕上げ放光板となっている。
【００１７】
なお、例えば、浴室２の側壁１５のうち、浴槽１２の足側の面における洗い場１３側の領域には、入浴者のほぼ全身が映せるような大型の鏡１６が取り付けられている。また、鏡１６の向かって右側の側方には多段の収納棚１７が造り付けられており、鏡１６の向かって左側の側方にはシャワー１８が取り付けられており、鏡１６の下方にはカウンター１９が設けられている。
【００１８】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の光拡散室３の内部に導入される。
【００１９】
そうすると、図２に示すように、外光Ｌの一部は、光反射体９の傾斜面９ａに到達し、この傾斜面９ａによって側方に向けて反射されてパンチングメタル７に到達する。一方、外光Ｌの残部は、直接パンチングメタル７に到達する。そして、パンチングメタル７に到達した光のうち、孔７ａに到達した光は、孔７ａを通過して半透明板１０に到達する。一方、パンチングメタル７における孔７ａ以外の領域に到達した光は、パンチングメタル７によって上方に向けて反射され、天板６の下面との間で反射を繰り返し、孔７ａ又は隙間８を通過して半透明板１０に向かう。このように、光反射体９、パンチングメタル７及び天板６の作用により、光ダクト１０２から出射した光は、水平方向に拡散される。そして、半透明板１０に到達した光は、半透明板１０によって更に拡散され、浴室２の天井１４のほぼ全面に対して供給される。天井１４に供給された光は、天井１４を透過して、浴室２内に導入される。この過程で、光は浴室２の天井１４を加熱して、乾燥させる。
【００２０】
次に、本実施形態の効果について説明する。  
上述の如く、本実施形態においては、光ダクト１０２により浴室ユニット１に導入された外光Ｌは、光拡散室３において水平方向に拡散され、浴室２の天井１４のほぼ全領域に対して供給される。これにより、外光Ｌに含まれる赤外線成分が浴室２の天井１４を加熱して乾燥させるため、天井１４におけるカビの発生を防止することができる。また、外光Ｌに含まれる紫外線成分によっても、カビの発生を防止することができる。この結果、手が届きにくく、清掃が困難な浴室の天井に対して、清掃作業及びカビの除去作業などを行う必要性を低減させることができる。  
これに対して、特許文献１に記載の技術においては、光ダクトの放光口は浴室の天井に設けられており、下方に向いているため、光ダクトにより浴室内に導入された光は天井には照射されない。このため、天井におけるカビの発生を効果的に防止することはできない。
【００２１】
また、上方から見て、浴室２の形状は矩形であり、従って、天井１４の形状も矩形であるが、本実施形態においては、光反射体９の形状を四角錐体とすることにより、天井１４の隅々まで光を供給することができる。これにより、特にカビが発生しやすい天井１４の周辺領域、すなわち、４辺の端縁領域に対して光を確実に供給し、これらの端縁領域におけるカビの発生をより確実に防止することができる。なお、光拡散室３における光ダクトの結合位置が光拡散室３の中心からずれている場合は、このずれに対応させて光反射体９の配設位置を光ダクトの中心軸上からずらすか、又は、光反射体９の形状を非対称とすることにより、天井１４に供給される光の分布を均一化することができる。
【００２２】
更に、本実施形態においては、光拡散室３の周辺領域にはパンチングメタル７が設けられておらず、隙間８が形成されているため、隙間８を形成しない場合と比較して、天井１４の周辺領域に供給する光量を増加させることができる。これにより、特にカビが発生しやすい天井１４の周辺領域において、カビの発生をより確実に防止することができる。
【００２３】
更にまた、本実施形態においては、光ダクト１０２により外光が浴室ユニット１に導入されるときは、浴室２の天井１４のほぼ全体が発光するため、柔らかく、影ができにくい照明を実現することができる。
【００２４】
次に、本発明の第２の実施形態について説明する。  
図４は、本実施形態に係る浴室ユニットを例示する断面図であり、  
図５は、この浴室ユニットを例示する斜視図である。  
図４及び図５に示すように、本実施形態に係る浴室ユニット２１においては、浴室２の天井１４に、点検口２２が形成されており、この点検口２２には、点検口２２を塞ぐ点検口蓋２３が着脱可能にはめ込まれている。点検口蓋２３は、天井１４と同じ材料、すなわち、乳白色の樹脂材料により形成されている。また、光拡散室３における点検口蓋２３の直上域に相当する部分２４は、点検口蓋２３と一体化しており、光拡散室３の他の部分、すなわち、部分２４以外の部分に対して、着脱可能とされている。本実施形態における上記以外の構成は、前述の第１の実施形態と同様である。
【００２５】
次に、本実施形態の動作について説明する。  
浴室ユニット２１の通常使用時には、部分２４は光拡散室３の一部として機能し、他の部分と共に、光ダクト１０２によって導入された外光を水平方向に拡散させて、浴室２の天井１４に対して供給する。また、点検口蓋２３は天井１４と一体化しており、供給された光を更に拡散させつつ、浴室２内に供給する。
【００２６】
一方、浴室ユニット２１の点検時には、点検口蓋２３及び部分２４を一体的に移動させて、天井１４及び光拡散室３から取り外すことにより、点検口２２を開口させる。これにより、点検作業者が点検口２２から身を乗り出して、浴室ユニット２１の天井裏を点検することができる。
【００２７】
本実施形態によれば、天井１４のほぼ全領域を発光させつつ、点検口２２を設けることができる。本実施形態における上記以外の動作及び効果は、前述の第１の実施形態と同様である。
【００２８】
次に、本発明の第３の実施形態について説明する。  
図６は、本実施形態に係る浴室ユニットを例示する断面図である。  
図６に示すように、本実施形態に係る浴室ユニット３１においては、浴室２の天井１４に、点検口２２が形成されており、この点検口２２には点検口蓋３３が着脱可能にはめ込まれている。点検口蓋３３は、遮光材料により形成されている。また、点検口蓋３３の直上域に相当する領域には、光拡散室３は設けられていない。すなわち、光拡散室３は、点検口蓋３３の直上域を囲む環状の領域に設けられている。本実施形態における上記以外の構成は、前述の第１の実施形態と同様である。
【００２９】
本実施形態においては、前述の第２の実施形態と比較して、点検口蓋３３の点検口２２に対する着脱が容易になる。本実施形態における上記以外の動作及び効果は、前述の第１の実施形態と同様である。
【００３０】
以上、実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。
【００３１】
例えば、光拡散室３において、半透明板１０を省略してもよい。これにより、光拡散室３の構成を簡略化すると共に、光の利用効率を向上させることができる。また、浴室２と光拡散室３とは光学的に結合されていればよいため、浴室２と光拡散室３との間には隙間が存在していてもよい。これにより、浴室２内の蒸気が光拡散室３内に流入することを確実に防止できる。
【００３２】
更に、前述の各実施形態において、浴室ユニットの天井の下面に、光触媒がコーティングされていてもよい。この結果、光触媒に光が照射されることにより、この光触媒が環境浄化機能を発揮し、かびの発生をより効果的に防止することができる。例えば、光触媒として酸化チタンを使用すると、光が照射されることにより酸化力が生じ、カビの胞子などの有機物を水や二酸化炭素に分解することができる。なお、自然光には可視光成分が多く含まれるため、光触媒として、可視光応答型光触媒を使用することがより好ましい。
【００３３】
更にまた、前述の各実施形態において、光拡散室３の半透明板１０の材料及び浴室２の天井１４の材料を、赤外線を透過させやすい材料とすることにより、より効果的に天井を加熱し、乾燥させることができる。また、これらの材料を紫外線を透過させやすい材料とすることにより、紫外線による殺菌効果が得られると共に、上述の光触媒をより効率的に機能させることができる。
【００３４】
更にまた、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００３５】
【図１】本発明の第１の実施形態に係る浴室ユニットが設けられた建築物を例示する模式的断面図である。
【図２】第１の実施形態に係る浴室ユニットを例示する断面図である。
【図３】第１の実施形態に係る浴室ユニットを例示する斜視図である。
【図４】本発明の第２の実施形態に係る浴室ユニットを例示する断面図である。
【図５】第２の実施形態に係る浴室ユニットを例示する斜視図である。
【図６】本発明の第３の実施形態に係る浴室ユニットを例示する断面図である。
【符号の説明】
【００３６】
１  浴室ユニット、２  浴室、３  光拡散室、５  側壁、６  天板、６ａ  開口部、７  有孔板（パンチングメタル）、７ａ  孔、８  隙間、９  光反射体、９ａ  傾斜面、１０  半透明板、１１  支持部材、１２  浴槽、１３  洗い場、１４  天井、１５  側壁、１６  鏡、１７  収納棚、１８  シャワー、１９  カウンター、２１  浴室ユニット、２２  点検口、２３  点検口蓋、２４  部分、３１  浴室ユニット、３３  点検口蓋、１０１  住宅、１０２  光ダクト、１０３  採光部、１０４  縦型ダクト、Ｌ  外光
【図１】
2008082079.tif 000003
【図２】
2008082079.tif 000004
【図３】
2008082079.tif 000005
【図４】
2008082079.tif 000006
【図５】
2008082079.tif 000007
【図６】
2008082079.tif 000008